(57)【特許請求の範囲】
【請求項１】
自動車のダッシュパネル後方に配設された操作ペダルの支持構造であって、
上記ダッシュパネルに固定された第１ブラケットと、
上記第１ブラケットに揺動可能に枢着された上記操作ペダルと、
車室の車体側部材に固定され、前端部が上記第１ブラケットの後部に所定以上の衝突荷重により離脱可能に連結された第２ブラケットとを備え、
上記第２ブラケットは、自動車の側方から見て上下中央部が上下端部よりも前側に位置して前端部となるように略く字状に湾曲した形状でかつ該前端部としての各々の上下中央部の後端に後側に開いた切欠凹部が形成された左右１対の部材を有してなり、
上記左右部材の切欠凹部に、第１ブラケットを車幅方向に貫通するボルトを挿通して締結することで、上記第２ブラケットが第１ブラケットの後部に上記ボルトの切欠凹部からの抜出しにより離脱可能に連結されており、
上記第２ブラケットは、上記左右の部材の下端後部を接続しかつ自動車の衝突に伴って上記左右の部材間を後退する操作ペダルに当接して該操作ペダルの後退移動を阻止する操作ペダル当接部を備えていることを特徴とする自動車のペダル支持構造。
【請求項２】
請求項１の自動車のペダル支持構造において、
操作ペダルにはシリンダ側のロッドが連結されており、
上記シリンダ側のロッドの軸線方向と第２ブラケットの車体側部材への取付座面に沿った方向とが所定角度で交差していることを特徴とする自動車のペダル支持構造。
【請求項３】
請求項１又は２の自動車のペダル支持構造において、
自動車の衝突により操作ペダルが操作ペダル当接部に当接したときに、第１ブラケット後部が上記操作ペダル当接部を支点として後回りに回動しながら第２ブラケットから離脱するように設定されていることを特徴とする自動車のペダル支持構造。
【請求項４】
請求項１〜３のいずれか１つの自動車のペダル支持構造において、
操作ペダル当接部は、操作ペダルの操作状態を検出するセンサ部材が取り付けられるものであることを特徴とする自動車のペダル支持構造。
【請求項５】
請求項１〜４のいずれか１つの自動車のペダル支持構造において、
操作ペダルはブレーキペダルであることを特徴とする自動車のペダル支持構造。
【発明の詳細な説明】
【０００１】
【発明の属する技術分野】
本発明は、自動車の操作ペダルの支持構造に関する技術分野に属する。
【０００２】
【従来の技術】
一般に、自動車の衝突（前突）時には、その衝突を回避するためにドライバがブレーキペダルを踏んで自動車を制動しているにも拘わらず、自動車が停止せずに衝突してしまうという、ブレーキペダルの踏込み状態での衝突が多いのが実情である。
【０００３】
その場合、衝突に伴って車体前部が衝突エネルギーを吸収しながら潰れ、エンジンルーム内に配置されているエンジンが、その後側に位置するブレーキ装置のマスタシリンダを押しながら後退するが、このマスタシリンダに対し、ダッシュパネル後方に位置するブレーキペダルがオペレーティングロッドを介して連結されているので、マスタシリンダの後退移動に伴いオペレーティングロッドを介してプレーキペダルも押されて後退することとなる。その結果、衝突直前までブレーキペダルを踏んでいるドライバの足に衝突荷重が作用して大きなキックバックが生じ、そのドライバの膝に衝撃がかかるという問題がある。
【０００４】
そこで、従来、このような問題に対処するために種々の対策が提案されている。例えば特開平９−２１６５２８号公報に示されるものでは、ダッシュパネルに固定されたペダルブラケットに回転リンクを車幅方向の固定軸を介して揺動可能に支持するとともに、この回転リンクに車幅方向の回転軸を介してブレーキペダルを連結支持し、回転リンクと車室内の車体側部材であるインパネメンバとの間に固定軸の上側を通るスプリングを掛け渡して、回転リンクを後回り方向に回動付勢し、インパネメンバに、衝突によりペダルブラケットとともに後退移動する回転リンクに当接する当接部を設け、衝突に伴ってペダルブラケットが後退移動したときにブレーキペダルの支持部材である回転リンクをインパネメンバの当接部に当接させて前回りに回動させながら脱落させることで、ブレーキペダル下端のペダル部が後退移動しないようにし、ドライバの膝にブレーキペダルからの衝突荷重が作用するのを防ぐようにしている。
【０００５】
【発明が解決しようとする課題】
しかし、上記従来のものでは、回転リンクを当接させる当接部をインパネメンバに設ける必要があり、また、回転リンクを付勢するスプリングを要するなど、構造が複雑でコスト的に高価なものとなるのは否めない。また、自動車の衝突時に回転リンクを当接部と的確に当接させ前回りに回動させながら脱落させることは難しく、作動の信頼性が低い。
【０００６】
本発明は斯かる点に鑑みてなされたものであり、その目的は、ダッシュパネルの後方に配置されるブレーキペダル等の操作ペダルの支持構造を改良することで、自動車のペダル支持構造を、高強度で簡単な構造とするとともに、自動車の衝突時に操作ペダルが後方移動するのを可及的に防止して作動信頼性を高めることにある。
【０００７】
【課題を解決するための手段】
上記の目的を達成するために、この発明では、操作ペダルを枢着する第１ブラケットを、車室の車体側部材に固定せしめた第２ブラケットに離脱可能に連結して、自動車の衝突時に所定以上の衝突荷重がかかった場合、第１ブラケットと第２ブラケットとの連結を切り離して第１ブラケットを片持ち状態とするとともに、その第１ブラケットに支持された操作ペダルを第２ブラケットの操作ペダル当接部に当接させて、その操作ペダル自体の後退移動を阻止するようにした。
【０００８】
具体的には、請求項１の発明では、自動車のダッシュパネル後方に配設された操作ペダルの支持構造であって、上記ダッシュパネルに固定された第１ブラケットと、上記第１ブラケットに揺動可能に枢着された上記操作ペダルと、車室の車体側部材に固定され、前端部が上記第１ブラケットの後部に所定以上の衝突荷重により離脱可能に連結された第２ブラケットとを備えている。そして、上記第２ブラケットは、自動車の側方から見て上下中央部が上下端部よりも前側に位置して前端部となるように略く字状に湾曲した形状でかつ該前端部としての各々の上下中央部の後端に後側に開いた切欠凹部が形成された左右１対の部材を有してなり、これら左右部材の切欠凹部に、第１ブラケットを車幅方向に貫通するボルトを挿通して締結することにより、上記第２ブラケットが第１ブラケットの後部に上記ボルトの切欠凹部からの抜出しにより離脱可能に連結されている。また、上記第２ブラケットは、上記左右の部材の下端後部を接続しかつ自動車の衝突に伴って上記左右の部材間を後退する操作ペダルに当接して該操作ペダルの後退移動を阻止する操作ペダル当接部を備えているものとする。
【０００９】
上記の構成によると、操作ペダルを枢着した第１ブラケットはダッシュパネルに支持される一方、その後端部はボルトを介して第２ブラケットの前端部に連結され、この第２ブラケットは車室の車体側部材に固定されているので、通常時には第１及び第２ブラケットが一体化された状態となり、この第２ブラケットと一体的な第１ブラケットに操作ペダルが支持される。このことによって、操作ペダルの支持強度を確保することができる。
【００１０】
これに対し、自動車の衝突時に車体に所定以上の衝突荷重が作用すると、その衝突荷重によりエンジンが車体後方に押されてダッシュパネル、シリンダ等が後退移動し、このダッシュパネルに固定された第１ブラケットも後退して、第１ブラケットと第２ブラケットとの連結が解除される。すなわち、第１ブラケットの後退移動に伴い、両ブラケットの連結部にあるボルトが、第２ブラケットの略く字状に湾曲した左右部材の前端部にある切欠凹部から後側に抜け出して、両ブラケットが連結部で離脱し、第１ブラケットはダッシュパネルのみにて支持された片持ち状態となる。このとき、第２ブラケットには左右の部材の下端後部に操作ペダル当接部が設けられているため、上記第１ブラケットが第２ブラケットから離脱して操作ペダルと共に後退し始めると、その操作ペダルが操作ペダル当接部に当接し、その操作ペダルの後退移動が妨げられる。このため、衝突時に第１ブラケットがダッシュパネルの変形に伴い後退しても操作ペダル自体は第１ブラケットと同様な動きで後退せず、操作ペダルを踏んでいるドライバの膝に衝突荷重が作用するのを防止できる。
【００１１】
さらに、ダッシュパネルに第１ブラケットを固定し、この第１ブラケットに揺動可能に操作ペダルを枢着し、第１ブラケットの後部を、車室の車体側部材に固定した第２ブラケットの前端部に連結するだけの構造であるので、操作ペダルが支持された回転リンクを車体側部材の当接部に当接させて回転させる従来の構造と比較すると、構造も極めて簡単になってコストダウンを図ることができる。
【００１２】
請求項２の発明では、上記操作ペダルにはシリンダ側のロッドが連結され、このシリンダ側のロッドの軸線方向と第２ブラケットの車体側部材への取付座面に沿った方向とが所定角度で交差している構成とする。このように操作ペダルへのシリンダ側のロッドからの荷重入力方向と、第２ブラケットの車体側部材への取付座面に沿った方向とが異なっていることで、自動車の衝突時にダッシュパネルの変形に伴って第１ブラケットが後退移動する際に、その第１ブラケットの第２ブラケットとの連結が外れずに第２ブラケットが変形しながら操作ペダルが後退していくようなことはなく、衝突時における上記効果を確実に得ることができる。
【００１３】
請求項３の発明では、上記自動車のペダル支持構造において、自動車の衝突により操作ペダルが操作ペダル当接部に当接したときに、第１ブラケット後部が上記操作ペダル当接部を支点として後回りに回動しながら第２ブラケットから離脱するように設定されている。
【００１４】
上記の構成により、仮に、自動車の衝突時にダッシュパネルの変形に伴い第１ブラケットが後退して、第１ブラケットと第２ブラケットとの連結が解除する前に操作ペダルの後端が第２ブラケットの操作ペダル当接部に当接したとしても、上記第１ブラケット後部が上記操作ペダル当接部を支点として後回りに回動しながら後方へ押されることとなり、第２ブラケットから第１ブラケットが確実に離脱し、その後は上記と同様に操作ペダル自体の後退移動が操作ペダル当接部への当接によって規制される。このため、自動車の衝突時に操作ペダルを踏んでいるドライバの膝に衝突荷重が作用するのを防止できる。
【００１５】
請求項４の発明では、上記自動車のペダル支持構造において、第２ブラケットの操作ペダル当接部は操作ペダルの操作状態を検出するセンサ部材が取り付けられるものとする。このことにより、センサ部材取付用の部材を操作ペダル当接部と兼用して、コストダウンを図ることができる。
【００１６】
請求項５の発明では、上記自動車のペダル支持構造において、操作ペダルはブレーキペダルである。こうすると、上記発明の効果が有効に発揮される最適な操作ペダルが得られる。
【００１７】
【発明の実施の形態】
図１は本発明の実施形態の全体構成を示し、１は自動車の車体の一部を構成するダッシュパネル１で、その前側（図で左側）には図外のエンジンが収容されるエンジンルームＲ１が、また後部（図で右側）には車室Ｒ２がそれぞれ区画形成され、このダッシュパネル１下部の後方、つまり車室Ｒ２内下部の前端部には、運転席（図示せず）に着座したドライバによって踏込み操作される操作ペダルとしてのブレーキペダル８が配設されている。
【００１８】
すなわち、上記ダッシュパネル１には下側に向かって前側に傾斜する傾斜面部１ａが形成され、この傾斜面部１ａの後面には第１ブラケット２がボルト部材３，３，…により固定されている。この第１ブラケット２は、ダッシュパネル１の傾斜面部１ａにそれと平行にかつ傾斜面部１ａから所定間隔をあけた状態で取り付けられる矩形板状の固定部２ａと、この固定部２ａから後側上方に向かって平行に延びる１対の支持部２ａ，２ｂとを備え、この支持部２ｂの後端下部は、該支持部２ｂを車幅方向に貫通するボルト４により後述の第２ブラケット５と連結されている。また、固定部２ａの中心部には後述のオペレーティングロッド１１が挿通される開口（図示せず）が形成されている。
【００１９】
上記第１ブラケット２の両支持部２ａ，２ｂにおける上端部間には左右方向（自動車の車幅方向）に延びるペダル支持軸９が掛け渡され、このペダル支持軸９には上記ブレーキペダル８の上端部が鉛直面に沿って揺動可能に支持されている。このブレーキペダル８は細長い板状のもので、その下端部にはドライバが足を載せて踏み込むペダル部８ａが、また上下中間部の後側には突起部８ｂがそれぞれ設けられている。
【００２０】
また、上記ペダル支持軸９の囲りには付勢手段としてのコイルばね１０が配置支持され、このコイルばね１０の一端部は第１ブラケット２における支持部２ｂの縦壁部に、また他端部はブレーキペダル８にそれぞれ係合されており、このコイルばね１０により常時、ブレーキペダル８をペダル部８ａが車体後方に向かう方向、つまり図１で反時計回り方向に回動付勢している。
【００２１】
上記ブレーキペダル８の中間部つまり上下中央部よりも上側寄りには、エンジンルームＲ１の後端部に位置する、ブレーキ装置のマスタシリンダ（図示せず）にマスタバック１２（倍力装置）を介して駆動連結されるオペレーティングロッド１１（シリンダ側のロッド）が連結されている。このオペレーティングロッド１１はダッシュパネル１の傾斜面部１ａと略直交するように延び、その前端部は第１ブラケット２における固定部２ａの開口と、ダッシュパネル１の傾斜面部１ａに貫通形成した開口（図示せず）とを通ってエンジンルームＲ１後端部のマスタバック１２に連結されており、ブレーキペダル８のペダル部８ａを踏み込んでブレーキペダル８を図１で時計回り方向に回動させたときに、オペレーティングロッド１１を前側に押してマスタバック１２を作動させ、そのマスタバック１２によりマスタシリンダに対する押圧力を増大させながらマスタシリンダによりブレーキをかけるようになっている。
【００２２】
上記第１ブラケット２上方の車室Ｒ２前端部には、車体の一部を成す車幅方向に延びる車体側部材としてのカウルメンバ７が配置されている。このカウルメンバ７は自動車の衝突時（前突時）に車室Ｒ２の乗員のスペースを確保するために後退移動しない構造のもので、このカウルメンバ７の下面には前側に向かって下側に傾斜する取付部７ａが形成され、この取付部７ａに第２ブラケット５の上端部がボルト６を用いて締結固定されている。
【００２３】
そして、上記第２ブラケット５は、自動車の側方から見て上下中央部が上下端部よりも前側に位置するように略く字状に湾曲した形状の左右１対の部材を有して成り、両部材の上端部は、外側に折り曲げられていて、その折り曲げ部にて第２ブラケット５がボルト６によりカウルメンバ７に取付固定されている。そして、図２に示すように、第２ブラケット５の左右の部材はその下端後部にて車幅方向に左右に延びる操作ペダル当接部５ｂにて接続されている。この操作ペダル当接部５ｂは、通常時にはブレーキペダル８と当接していないが、自動車の衝突時にブレーキペダル８の突起部８ｂ後面と当接してブレーキペダル８の後退移動を防止する構成となっている。
【００２４】
また、第２ブラケット５の左右の両部材には、その後端の上下中央部に後側に開いた切欠凹部５ａが形成されている。この切欠凹部５ａは、図３に示す如く、ブレーキペダル８の突起部８ｂの後面と第２ブラケット５との当接部を支点の中心として円弧状に切り欠かれている。そして、この切欠凹部５ａに上記ボルト４が挿通されていて、このボルト４の締結により第２ブラケット５が第１ブラケット２の後部に離脱可能に連結され、所定以上の後向きの衝突荷重が第１ブラケット２に作用したときに、第１ブラケット２と一体のボルト４が第２ブラケット５の切欠凹部５ａから抜け出して、第２ブラケット５から第１ブラケット２が離脱するようになっている。さらに、上述の第２ブラケット５の操作ペダル当接部５ｂの中央部には、ブレーキペダル８の踏み状態を検出する円筒形状のブレーキセンサ１３が取り付けられている。
【００２５】
以上より、第１ブラケット２はその前端部がダッシュパネル１に固定される一方、後部がカウルメンバ７に固定した第２ブラケット５に連結されていて、ブレーキペダル８は、第１及び第２ブラケット２，５を介してダッシュパネル１及びカウルメンバ７に支持される構造となっている。
【００２６】
そして、第２ブラケット５上端のカウルメンバ７の取付部７ａへの取付座面に沿った方向Ｌ１と上記オペレーティングロッド１１の軸線方向Ｌ２とが、所定角度θで交差している。
【００２７】
次に、上記実施形態の作用について説明する。自動車が衝突しない通常の状態では、図１に実線にて示すように、第１ブラケット２の前端がダッシュパネル１に固定される一方、後端は、車室のカウルメンバ７に固定した第２ブラケット５にボルト４を介して一体的に連結され、この第１ブラケット２の後部にブレーキペダル８が揺動可能に枢着されている。このため、自動車の制動時にドライバがブレーキペダル８を踏み操作すると、通常と同様の動作が行われる。すなわち、ブレーキペダル８の踏み操作に伴ってオペレーティングロッド１１が前進移動するとともに、そのオペレーティングロッド１１の押圧力がマスタバック１２で増大されてマスタシリンダに伝達され、このマスタシリンダからのブレーキ圧が各車輪のホイールシリンダ（図示せず）に伝達されて自動車が制動される。
【００２８】
これに対して、上記のようにドライバがブレーキペダル８を踏み込んだ制動状態のまま自動車が衝突（前突）すると、車体前部が潰れながら後退するために、エンジンルームＲ１内のエンジンが後退し、このエンジンに押されてマスタシリンダ、マスタバック１２及びオペレーティングロッド１１が後退移動し、このオペレーティングロッド１１に一体的に連結されているブレーキペダル８も後退し始める。また、所定以上の衝突荷重を受けてダッシュパネル１も後退し、このダッシュパネル１に固定されている第１ブラケット２が後退する。このとき、第２ブラケット５は、自動車の衝突時に車室Ｒ２内の乗員のスペースを確保するために後退移動せず停止したままとなるカウルメンバ７に固定されているので、後退しない。このため、上記第１ブラケット２の後退移動に伴い、両ブラケット２,５の連結部にあるボルト４が第２ブラケット５の切欠凹部５ａから後側に抜け出して、両ブラケット２,５が連結部で離脱し、第１ブラケット２はダッシュパネル１のみにて支持された片持ち状態となる。
【００２９】
上記第１ブラケット２の第２ブラケット５からの離脱後も第１ブラケット２は引き続き後退するので、この第１ブラケット２に枢着されているブレーキペダル８も後退するが、その後退に伴ってブレーキペダル８の突起部８ｂの後面が、第２ブラケット５下部の操作ペダル当接部５ｂに当接し、この操作ペダル当接部５ｂに押し返されるようにブレーキペダル８の後退移動が阻止される。その結果、図１に仮想線にて示す如く、ダッシュパネル１及び第１ブラケット２が大きく後退移動しても、ブレーキペダル８にあっては同様の動きで後退しなくなる。それ故、ドライバのフットスペースが大に確保されて、ブレーキペダル８を踏んでいるドライバの膝に衝突荷重が作用するのを回避することができる。
【００３０】
また、上記第２ブラケット５のカウルメンバ７への取付座面に沿った方向Ｌ１とオペレーティングロッド１１の軸線方向Ｌ２とが所定角度θで交差していることにより、自動車の衝突時に、ダッシュパネル１の変形に伴って第１ブラケット２が後退移動したときに、第１ブラケット２と第２ブラケット５との連結部で第１ブラケット２と一体のボルト４が第２ブラケット５の後端の切欠凹部５ａから確実に抜け出すようになり、両ブラケット２,５の連結が解除される。このため、自動車の衝突時には、両ブラケット２,５の連結が外れずに両ブラケット２,５が共に変形しながら後退していくようなことがなく、上記両ブラケット２,５の連結を解除させながらブレーキペダル８を第２ブラケット５の操作ペダル当接部５ｂに当接させることができ、そのブレーキペダル８の後退移動を確実に防ぐことができる。
【００３１】
そして、仮に、自動車の衝突時にダッシュパネル１の変形に伴い、第１ブラケット２と第２ブラケット５との連結が解除する前にブレーキペダル８の突起部８ｂの後面が第２ブラケット５の操作ペダル当接部５ｂに当接した場合であっても、第１ブラケット２後部が衝突荷重によりブレーキペダル８と操作ペダル当接部５ｂとの当接部を支点として後ろ向きに押され、両ブラケット２,５の連結部に荷重が作用するため、両ブラケット２,５の離脱が促される。加えて、第２ブラケット５に設けた切欠凹部５ａは、第１ブラケット２の後部が上記操作ペダル当接部５ｂを支点として後回りに回動しながら第２ブラケット５から離脱するように離脱角度が設定されている。従って、自動車の衝突時には両ブラケット２,５の連結が確実に解除してドライバの膝に衝突荷重が作用するのを防止できる。
【００３２】
また、第２ブラケット５の操作ペダル当接部５ｂには、ブレーキペダル８の踏み状態を検出するブレーキセンサ１３が設けられているのでブレーキセンサ１３をブレーキペダル８に兼用して設けることができるため、コストダウンを図れる。
【００３３】
そして、この実施形態においては、第１ブラケット２の前端がダッシュパネル１に固定され、この第１ブラケット２の後端がカウルメンバ７に固定した第２ブラケット５と連結され、衝突時に所定以上の荷重がかかった場合に、上記両ブラケット２,５間の連結が解除される構造であるので、ブレーキペダルが支持された回転リンクをインパネメンバの当接部に当接させて回転させる従来の構造に比べ衝突時の作動信頼性は高い。しかも、上記従来の構造に比べ、本実施形態の構造は極めて簡単なため、コスト面においても有利を得ることができる。
【００３４】
尚、上記実施形態では、操作ペダルをブレーキペダル８としているが、本発明は、自動車のダッシュパネル１後方に揺動可能に配設され、かつオペレーティングロッド１１が連結された操作ペダルであれば適用することができる。
【００３５】
【発明の効果】
以上説明した如く、自動車のダッシュパネルに固定された第１ブラケットと、この第１ブラケットに揺動可能に枢着された操作ペダルと、車室の車体側部材に固定され、前端部が上記第１ブラケットの後部に所定以上の衝突荷重により離脱可能に連結された第２ブラケットとを備え、この第２ブラケットは、自動車の側方から見て上下中央部が上下端部よりも前側に位置するように略く字状に湾曲した形状でかつその前端部としての各々の上下中央部の後端に後側に開いた切欠凹部が形成された左右１対の部材を有するものとし、これら左右部材の切欠凹部に、第１ブラケットを車幅方向に貫通するボルトを挿通して、その締結により第２ブラケットを第１ブラケットの後部に離脱可能に連結し、第２ブラケットの左右の部材の下端後部に、自動車の衝突に伴って左右の部材間を後退する操作ペダルに当接して該操作ペダルの後退移動を阻止する操作ペダル当接部を設けたことにより、極めて簡単で信頼性の高い構造としつつ、衝突時に操作ペダルが後退移動するのを確実に防止し、ドライバの膝に対する衝突荷重の作用を回避することができる。
【００３６】
請求項２の発明では、操作ペダルに連結されたシリンダ側のロッドの軸線方向と第２ブラケットの車体側部材への取付座面に沿った方向とを所定角度で交差させた。このため、自動車の衝突時に、ダッシュパネルの変形に伴って第１ブラケットが後退移動する際に、第１ブラケットと第２ブラケットとの連結が確実に解除され、ドライバの膝にブレーキペダルからの衝突荷重が作用するのを防ぐことができる。
【００３７】
請求項３の発明では、自動車の衝突時に、第１ブラケット後部が上記操作ペダル当接部を支点として後回りに回動しながら第２ブラケットから離脱するように設定した。このことにより、自動車の衝突時に、第２ブラケットから第１ブラケットを確実に離脱させることができ、操作ペダルの後方移動を阻止することができる。
【００３８】
請求項４の発明では、第２ブラケットに操作ペダルの操作状態を検出するセンサ部材を設けた。このことで、自動車の操作ペダルの支持構造を簡単にしてコストダウンを図れる。
【００３９】
請求項５の発明によると、上記操作ペダルはブレーキペダルとしたことにより、上記発明の効果が有効に発揮される最適な操作ペダルが得られる。
【図面の簡単な説明】
【図１】  本発明の実施形態に係るペダル支持構造の構成を示す側面図である。
【図２】  本発明の実施形態に係るペダル支持構造の要部を拡大して示す平面図である。
【図３】  本発明の実施形態に係る第２ブラケットの切欠凹部を拡大して示す側面図である。
【符号の説明】
１  ダッシュパネル
２  第１ブラケット
４  ボルト
５  第２ブラケット
５ａ 切欠凹部
５ｂ 当接部
７  カウルメンバ（車体側部材）
７ａ  取付部
８  操作ペダル
８ｂ  突起部
９  ペダル支持軸
１１  オペレーティングロッド（シリンダ側のロッド）
１２  マスタバック
１３  ブレーキセンサ（センサ部材）
Ｒ１  エンジンルーム
Ｒ２  車室
Ｌ１  第２ブラケットのカウルメンバへの取付座面に沿った方向
Ｌ２  オペレーティングロッドの軸線方向
【図１】
0003804373.tif 000002
【図２】
0003804373.tif 000003
【図３】
0003804373.tif 000004